(57)【要約】【課題】  収容部における遊技球の貯留量が減少することなく、また、高さを変更して積み重ねた場合にも安定して積み重ねることが可能な遊技媒体収容箱を提供する。【解決手段】遊技媒体収容箱１は、把持部３０の下面と周壁部２０の外面との間に架設された延設リブ４１，４２と、把持部３０の上面から周壁部２０の内面にかけて開口して延設リブ４１，４２の内部へ窪むスリット部５１，５２とが、それら延設リブ４１，４２の先端の外周形状がスリット部５１，５２の開口の内周形状に含まれるように形成されている。【選択図】  図１
2010088735.tif 000002
【特許請求の範囲】
【請求項１】
上面に開口を有しその開口から遊技媒体を貯留するために一体形成された周壁部と底壁部とを有する収容部と、その収容部の対向する周壁部の上縁から外側に延出された一対の把持部とを備える遊技媒体収容箱であって、
前記把持部から前記周壁部に沿って垂れ下がる形で、該把持部の下面と周壁部の外面との間に架設された延設リブが、前記一対の把持部において相手側の延設リブと相互に位置ずれしてそれぞれ複数設けられ、
それら延設リブに対応して、前記把持部の上面から周壁部の内面にかけて開口するように、前記延設リブの内部へ窪む溝状のスリット部が形成されており、
前記延設リブとスリット部との大きさを比較したとき、該延設リブの先端の外周形状がスリット部の開口の内周形状に含まれることを特徴とする遊技媒体収容箱。
【請求項２】
前記延設リブは、内部に前記スリット部を含む基端部と、その基端部の先端から延長される延長部とを有して、前記周壁部に平行な断面形状が連続的又は断続的に先細る形状をなし、
前記延設リブと前記スリット部の大きさを比較したとき、前記延長部の全体又は一部が該スリット部に含まれる請求項１に記載の遊技媒体収容箱。
【請求項３】
前記延設リブの先端頂部には、前記把持部が延出された収容部の上縁に対応して切り欠かれた段差部が形成されている請求項１又は２に記載の遊技媒体収容箱。
【請求項４】
前記底壁部は、周縁に前記周壁部が下側に延出される形でスカート壁が形成されて上げ底形態をなし、
前記延設リブは、前記底壁部近傍まで延設されている請求項１ないし３のいずれか１項に記載の遊技媒体収容箱。
【請求項５】
前記周壁部の外面には、遊技機や店舗などの所定の情報を表示して遊技者に対して宣伝広告する宣伝広告表示部が設けられている請求項１ないし４のいずれか１項に記載の遊技媒体収容箱。
【請求項６】
請求項１ないし５のいずれか１項に記載の遊技媒体収容箱であって、
前記収容部の開口が上方を向くように、載置した第１の遊技媒体収容箱の上に第２遊技媒体収容箱を積み重ねるとき、
前記第１の遊技媒体収容箱に対して前記第２の遊技媒体収容箱を同じ向きで積み重ねた場合には、前記第２の遊技媒体収容箱の延設リブが第１の遊技媒体収容箱のスリット部にそれぞれ嵌まり込んで、２個の遊技媒体収容箱が相対的に低く積み重ねられる一方、
前記第１の遊技媒体収容箱に対して前記第２の遊技媒体収容箱を反転した向きで積み重ねた場合には、前記第２の遊技媒体収容箱の延設リブの先端が第１の遊技媒体収容箱の把持部の上面に当接して、２個の遊技媒体収容箱が相対的に高く積み重ねられる遊技媒体収容箱。
【発明の詳細な説明】
【技術分野】
【０００１】
本発明は、遊技媒体収容箱に関する。
【背景技術】
【０００２】
一般に、パチンコ機やパチスロ機などの遊技機における遊技球やメダルなどの遊技媒体を収容する遊技媒体収容箱において、上面に開口を有しその開口から遊技媒体が貯留される収容部と、その収容部の上縁部から外側に延出する両側の把持部とを一体的に備えた収容箱が知られている。
【０００３】
通常、パチンコ遊技場において、遊技者は遊技媒体収容箱が遊技球等で満杯になると、遊技者自身の足元の床にその遊技媒体収容箱を置くことが多い。そして他の遊技者はその床に置かれた遊技媒体収容箱（出玉状況）を一つの目安として、その店舗状況を把握して自分が実際に遊技するか否かを判断する場合がある。すなわち、店舗側にとっては、より多くの集客を望むため、他の遊技者に強い印象を与える必要があり、そのような効果を具備する遊技媒体収容箱が望まれている。
【０００４】
【特許文献１】特許第３８５１８９２号公報
【０００５】
例えば、特許文献１に記載のパチンコ球収容ケースでは、箱状ケース本体（遊技媒体収容箱）において、短辺側の壁面（周壁部）が、円弧状の曲面からなる波型の凹凸が左右で山と谷とが互いに逆になるように形成され、その凸面に連なる上部の開口近傍にテラス状面が形成されている。これによれば、箱状ケース本体の左右の向きを反転させるだけで、箱状ケース本体の底部が他の箱状ケース本体の開口から深く嵌り込んで箱状ケース本体が積み重ねられる嵌め込み式積層状態と、箱状ケース本体の底部が他の箱状ケース本体のテラス状面に載っかって箱状ケース本体が積み重ねられる載せ置き式積層状態とのいずれかを選択的に行うことができ、嵌め込み式積層状態で嵩を低くした場合には、パチンコ遊技場において箱状ケース本体を保管するスペースが少なくて済み、載せ置き式積層状態で嵩を高くした場合には、遊技球で満杯になった箱状ケース本体の台座として空の箱状ケース本体を利用することができ、遊技者が順調に出玉している気分を十分に味わえるとともに、他の遊技者に対して効果的に強い印象を与えることができるものである。
【発明の開示】
【発明が解決しようとする課題】
【０００６】
しかしながら、特許文献１の箱状ケース本体は、載せ置き式積層状態を実現するためのテラス状面を形成するために短辺側の壁面が波型の凹凸形状で形成されているため、収容部における遊技球の貯留量が減少する、又は同貯留量に対して遊技媒体収容箱（収容部）が大型化するばかりでなく、凸状に形成されたテラス状面に対して凸状に形成された底部を載せることとなるので、接地面積も少なく安定感がよいとは言えない。
【０００７】
本発明は上記実情に鑑みてなされたものであり、収容部における遊技球の貯留量が減少することなく、また、高さを変更して積み重ねた場合にも安定して積み重ねることが可能な遊技媒体収容箱を提供することにある。
【課題を解決するための手段】
【０００８】
上記課題を解決するために、本発明の遊技媒体収容箱は、
上面に開口を有しその開口から遊技媒体を貯留するために一体形成された周壁部と底壁部とを有する収容部と、その収容部の対向する周壁部の上縁から外側に延出された一対の把持部とを備える遊技媒体収容箱であって、
把持部から周壁部に沿って垂れ下がる形で、該把持部の下面と周壁部の外面との間に架設された延設リブが、一対の把持部において相手側の延設リブと相互に位置ずれしてそれぞれ複数設けられ、
それら延設リブに対応して、把持部の上面から周壁部の内面にかけて開口するように、延設リブの内部へ窪む溝状のスリット部が形成されており、
延設リブとスリット部との大きさを比較したとき、該延設リブの先端の外周形状がスリット部の開口の内周形状に含まれることを特徴とする。
【発明の効果】
【０００９】
上記本発明の遊技媒体収容箱によれば、把持部の下面と周壁部の外面との間に架設された延設リブと、把持部の上面から周壁部の内面にかけて開口して延設リブの内部へ窪むスリット部とが、それら延設リブの先端の外周形状がスリット部の開口の内周形状に含まれるように形成されているので、収容部を形成する周壁部を凹凸させる必要がなくなり、収容部における遊技球の貯留量を減少させることなく、安定して高さを変更して積み重ねることができる。ひいては、例えば底壁部が略方形状をなす場合には、周壁部が底壁部の周縁からそのまま立ち上がる箱形状の収容部を形成するなど簡単シンプルな形状で実施可能であるため、従来の遊技媒体収容箱から大幅な設計変更などを要せず、製造コストが増大することがない。
【００１０】
具体的には、延設リブ及びスリット部は、一対の把持部において相手側の延設リブ及びスリット部と相互に位置ずれしてそれぞれ複数設けられているので、積層する遊技媒体収容箱の左右の向きを反転させるだけで、一方の遊技媒体収容箱の延設リブの先端が他方の遊技媒体収容箱のスリット部に嵌り込むとともに、一方の遊技媒体収容箱の収容部が他方の遊技媒体収容箱の収容部の開口から深く嵌り込んで遊技媒体収容箱が積み重ねられる嵌め込み式積層状態と、一方の遊技媒体収容箱の延設リブの先端が他方の遊技媒体収容箱の周壁部の上縁（把持部の上面）に掛止されるとともに、一方の遊技媒体収容箱の収容部が他方の遊技媒体収容箱の収容部の開口から深く嵌り込まず浮いた状態で遊技媒体収容箱が積み重ねられる載せ置き式積層状態とのいずれかを選択的に行うことができる。
【００１１】
したがって、嵌め込み式積層状態で嵩を低くした場合には、遊技媒体収容箱を搬送する時やパチンコ遊技場において遊技媒体収容箱を保管するスペースが少なくて済み、載せ置き式積層状態で嵩を高くした場合には、遊技球で満杯になった遊技媒体収容箱の台座として空の遊技媒体収容箱を利用することができ、遊技者が順調に出玉している気分を十分に味わえるとともに、他の遊技者に対して効果的に強い印象を与えることができる。なお、見方を換えれば、把持部と周壁部とを架設して、その把持部と周壁部とを補強する補強部としての延設リブが遊技媒体収容箱の異なる積層状態を形成するために利用されており、材料費・製造コストの低減に寄与している。
【００１２】
また、遊技媒体収容箱において延設リブは、内部にスリット部を含む基端部と、その基端部の先端から延長される延長部とを有して、周壁部に平行な断面形状が連続的又は断続的に先細る形状をなし、
延設リブとスリット部の大きさを比較したとき、延長部の全体又は一部が該スリット部に含まれる構成とすることができる。これによれば、延設リブが内部にスリット部を含む基端部と、その先端から延長される延長部とで形成されているので、スリット部と延長部とが延設リブにおいて重合することがなくなり、無理なく延設リブを形成することができる。
【００１３】
また、延設リブの先端頂部には、把持部が延出された収容部の上縁に対応して切り欠かれた段差部が形成される構成とすることができる。これによれば、延設リブの先端頂部の段差部が収容部の上縁に対応して形成されているので、上記した載せ置き式積層状態の場合に、段差部が収容部の上縁に掛止されて把持部延出方向の位置規制（横ズレ防止）となり、一層安定して積み重ねることができる。
【００１４】
また、底壁部は、周縁に周壁部が下側に延出される形でスカート壁が形成されて上げ底形態をなし、
延設リブは、底壁部近傍まで延設されている構成とすることができる。これによれば、スカート壁が延設リブの先端より下側に形成されているので、上記した載せ置き式積層状態の場合に、スカート壁が収容部の開口から入り込んで横方向の位置規制（横ズレ防止）となり、一層安定して積み重ねることができる。
【００１５】
また、周壁部の外面には、遊技機や店舗などの所定の情報を表示して遊技者に対して宣伝広告する宣伝広告表示部が設けられる構成とすることができる。これによれば、周壁部の外面に宣伝広告表示部が設けられているので、遊技球で満杯になった遊技媒体収容箱を遊技者の足元の床に置くときだけでなく、遊技島の脇に積み重ねて保管している際にも載せ置き式積層状態とすることで、効果的に宣伝広告を行うことができる。
【００１６】
すなわち、以上のような遊技媒体収容箱は、
収容部の開口が上方を向くように、載置した第１の遊技媒体収容箱の上に第２遊技媒体収容箱を積み重ねるとき、
第１の遊技媒体収容箱に対して第２の遊技媒体収容箱を同じ向きで積み重ねた場合には、第２の遊技媒体収容箱の延設リブが第１の遊技媒体収容箱のスリット部にそれぞれ嵌まり込んで、２個の遊技媒体収容箱が相対的に低く積み重ねられる一方、
第１の遊技媒体収容箱に対して第２の遊技媒体収容箱を反転した向きで積み重ねた場合には、第２の遊技媒体収容箱の延設リブの先端が第１の遊技媒体収容箱の把持部の上面に当接して、２個の遊技媒体収容箱が相対的に高く積み重ねることができる。これにより、上記効果を奏する。
【発明を実施するための最良の形態】
【００１７】
以下、本発明の実施形態を図面を参照して説明する。図１は本発明の実施形態に係る遊技媒体収容箱の一例を示す斜視図、図２は図１の遊技媒体収容箱の平面図及び正面図、図３は図２（ａ）のＡ−Ａ断面図及びＢ−Ｂ断面図、図４は図２（ａ）のＣ−Ｃ断面拡大図及びＤ−Ｄ断面拡大図、図５は図２（ａ）のＥ−Ｅ断面拡大図及びＦ−Ｆ断面拡大図である。なお、本実施形態において箱状の部材は、開口側を上側とし、その逆を下側とする。
【００１８】
図１ないし図５に示すように、本実施形態に係る遊技媒体収容箱（以下、単に収容箱ともいう）１は、パチンコ機やパチスロ機等の遊技機における遊技球やメダルなどの遊技媒体を収容するために共用できるが、以下の説明では遊技球（パチンコ球）を収容する場合について述べることとする。
【００１９】
収容箱１は、図１及び図２に示すように、上面に開口を有しその開口から遊技球を貯留するために一体形成された周壁部２１，２２，２３，２４（以下、まとめて周壁部２０ともいう）と底壁部２５とを有する収容部２と、その収容部２の対向する周壁部２１，２２の上縁から外側に延出された一対の第１及び第２把持部３１，３２（以下、まとめ把持部３０ともいう）とを一体的に備えている。具体的には、収容部２は、矩形状をなす底壁部２５とその底壁部２５の周縁から上側に立ち上がる周壁部２０とを備えて上面に開口を有する形で形成されている（図２（ａ）参照）。なお、周壁部２０は、底壁部２５の短辺側に形成される短辺周壁部２１，２２と長辺側に形成される長辺周壁部２３，２４とで構成されている。
【００２０】
また、収容箱１は、図２（ｂ）及び図３に示すように、第１把持部３１から短辺周壁部２１に沿って垂れ下がる形で、第１把持部３１の下面３１ｂと短辺周壁部２１の外面２１ａとの間に架設された第１延設リブ４１と、第２把持部３２から短辺周壁部２２に沿って垂れ下がる形で、第２把持部３２の下面３２ｂと短辺周壁部２２の外面２２ａとの間に架設された第２延設リブ４２とを備えている。そして、第１及び第２延設リブ４１，４２は、図５に示すように、短辺周壁部２１，２２に平行な断面形状が連続的又は断続的に先細る形状をなして形成され、一対の把持部３０において相手側の延設リブと反転した際に相互に位置ずれするように、それぞれ複数設けられている。具体的には、第１及び第２延設リブ４１，４２は、それぞれ２個ずつ設けられ、第１延設リブ４１は第１把持部３１の両端部に対応して、相対的に広くした間隔Ｄ１を有して短辺周壁部２１の端寄りに設けられ、第２延設リブ４２は相対的に狭くした間隔Ｄ２（Ｄ１＞Ｄ２）を有して短辺周壁部２２の中央寄りに設けられている。
【００２１】
また、収容箱１は、図１（ａ）及び図４に示すように、第１延設リブ４１に対応して、第１把持部３１の上面３１ａから短辺周壁部２１の内面２１ｂにかけて開口するように、第１延設リブ４ａの内部へ窪む溝状の第１スリット部５１と、第２延設リブ４２に対応して、第２把持部３２の上面３２ａから短辺周壁部２２の内面２２ｂにかけて開口するように、第２延設リブ４２の内部へ窪む溝状の第２スリット部５２とが形成されている。ここで、第１延設リブ４１と第２延設リブ４２、及び第１スリット部５１と第２スリット部５２は、それぞれ同じ形状、大きさで形成されており、第１及び第２延設リブ４１，４２と第１及び第２スリット部５１，５２との大きさ（幅寸法）を比較したとき、第１及び第２延設リブ４１，４２の先端の外周形状（例えば、幅Ｗ１）が第１及び第２スリット部５１，５２の開口の内周形状（例えば、幅Ｗ２）に含まれるように形成されている。すなわち、幅Ｗ１が幅Ｗ２よりも小さくなるように形成されている。なお、第１及び第２スリット部５１，５２の幅Ｗ２は、遊技球の直径よりも小さいことが望ましい。その場合には、スリット部内に遊技球が入り込んで停留することがなくなるので、後述するような収容箱を積み重ねる場合に、遊技球が邪魔となる心配もなくなる。
【００２２】
このように、短辺周壁部２１，２２に対して、第１及び第２延設リブ４１，４２及び第１及び第２スリット部５１，５２を形成することにより、短辺周壁部２１，２２を波型の凹凸形状にさせる必要がなくなり、短辺周壁部２１，２２を平面的に形成することができ、大型化することなく同量の遊技球の貯留可能個数を実現でき設計の自由度が広がる。
【００２３】
ここで、第１延設リブ４１は、図５（ａ）に示すように、内部に第１スリット部５１を含む基端部４１ａと、その基端部４１ａの先端から延長される延長部４１ｂとを有しており、基端部４１ａの先端で延長部４１ｂにかけて段状に幅が狭くなる先細り形状となっている。そして、この第１延設リブ４１と第１スリット部５１の大きさ（長さ）を比較したとき、延長部４１ｂの全体又は一部が第１スリット部５１に含まれるように形成されている。
【００２４】
同様に、第２延設リブ４２は、図５（ｂ）に示すように、内部に第２スリット部５２を含む基端部４２ａと、その基端部４２ａの先端から延長される延長部４２ｂとを有しており、基端部４２ａの先端で延長部４２ｂにかけて段状に幅が狭くなる先細り形状となっている。そして、この第２延設リブ４２と第２スリット部５２の大きさ（長さ）を比較したとき、延長部４２ｂの全体又は一部が第２スリット部５２に含まれるように形成されている。
【００２５】
また、収容箱１は、図１（ｂ），図３及び図４に示すように、底壁部２５の周縁に周壁部２０が下側に延出される形で形成されたスカート壁６が形成されており、底壁部２５は上げ底形態をなしている。そして、第１及び第２延設リブ４１，４２は、底壁部２５近傍まで短辺周壁部２１，２１に沿って延設されている。
【００２６】
また、収容箱１は、底壁部２５の下面で四隅に１つずつ都合４つ膨出形成されて、スカート壁６とともに収容部２を支持する脚部７を一体的に備えている。また、収容部２の開口縁（周壁部２０の上縁）内側には、環状内溝８が形成されており、収容部２からの球零れを防止する役目を担う。また、図１及び図２（ｂ）に示すように、長辺周壁部２３，２４の外面２３ａ，２４ａには、店舗や遊技機、又は収容箱自身の名前などの所定の情報を表示して遊技者に対して強いインパクトを与えるために宣伝広告する宣伝広告表示部９が設けられている。なお、宣伝広告表示部９としては、長辺周壁部２３，２４に直接印刷を施したり、フィルムや紙などのシート部材の裏面に糊を付けたシールを貼付することで簡単に形成することができる。
【００２７】
なお、収容箱１の材質としては、透明、半透明或いは不透明のＰＣ（ポリカーボネート）、ＡＢＳ樹脂（アクリロニトリル・スチレン）、ＰＥＴ樹脂（ポリエチレンテレフタレート）、ＡＳ（アクリロニトリル・スチレン）、ＰＳ（ポリスチレン）などを使用することができ、強度や耐衝撃性がある合成樹脂材料を使用して一体的に成形されている。
【００２８】
次に、本実施形態における収容箱の使用状態として、収容部２Ａの開口が上方を向くように載置した第１の遊技媒体収容箱１Ａの上に第２の遊技媒体収容箱１Ｂを積み重ねる場合について説明する。図６は図１の遊技媒体収容箱を積み重ねた状態を示す正面図及び図２（ａ）のＡ−Ａ及びＢ−Ｂに対応する断面図、図７は図６の積み重ねた状態における図２（ａ）のＣ−Ｃ，Ｅ−Ｅ及びＦ−Ｆに対応する断面図、図８は図１の遊技媒体収容箱を反転して積み重ねた状態を示す正面図及び図２（ａ）のＡ−Ａ及びＢ−Ｂに対応する断面図、図９は図８の積み重ねた状態における図２（ａ）のＣ−Ｃ，Ｅ−Ｅ及びＦ−Ｆに対応する断面図である。なお、下側に配置される遊技媒体収容箱（以下、単に収容箱ともいう）を１Ａ、上側に配置される遊技媒体収容箱（以下、単に収容箱ともいう）を１Ｂとし、上述した収容箱１に対応する符号にそれぞれＡ及びＢを足して表す。
【００２９】
まず、第１の収容箱１Ａに対して第２の収容箱１Ｂを同じ向きで積み重ねる場合には、図６及び図７に示すように、２個の収容箱１Ａ，１Ｂを相対的に低く積み重ねることができる。すなわち、第２の収容箱１Ｂの収容部２Ｂ（底壁部２５Ｂ）が第１の収容箱１Ａの収容部２Ａの開口から深く嵌り込んで積み重ねられる嵌め込み式積層状態となる。これによれば、収容箱を搬送する時や、パチンコ遊技場内で遊技機島の脇に保管するときなどに省スペースで多くの収容箱を積み重ねて搬送・保管することができる。なお、図６（ａ）に示すように、第２の収容箱１Ｂの宣伝広告表示部９Ｂは、第１の収容箱１Ａの長辺周壁部２３Ａ，２４Ａによって遮蔽される。
【００３０】
具体的には、図６（ｂ）及び図７（ｂ），（ｃ）に示すように、嵌め込み式積層状態では、第２の収容箱１Ｂの収容部２Ｂを第１の収容箱１Ａの収容部２Ａの開口に嵌め込むとともに、第２の収容箱１Ｂの第１延設リブ４１Ｂが第１の収容箱１Ａの第１スリット部５１Ａに、並びに第２の収容箱１Ｂの第２延設リブ４２Ｂが第１の収容箱１Ａの第２スリット部５２Ａにそれぞれ嵌まり込んでいる。このとき、第１の収容箱１Ａの第１及び第２スリット部５１Ａ，５２Ａが第２の収容箱１Ｂの第１及び第２延設リブ４１Ｂ，４２Ｂのガイドとなり、２個の収容箱１Ａ，１Ｂをスムーズに積み重ねることができ、また第２の収容箱１Ｂを持ち上げて取り外すことができる。
【００３１】
また、本実施形態の収容箱１Ａ，１Ｂは、嵌め込み式積層状態において、第１及び第２延設リブ４１Ｂ，４２Ｂの延長部４１ｂＢ、４２ｂＢの先端が第１及び第２スリット部５１Ａ，５２Ｂの底部に当接するように形成されている。すなわち、第２の収容箱１Ｂは、第１の収容箱１Ａの第１及び第２延設リブ４１Ａ，４２Ａの延長部４１ｂＡ，４２ｂＡによって支持されている。そして、それら第１及び第２延設リブ４１Ｂ，４２Ｂが第１及び第２スリット部５１Ａ，５１Ｂに嵌り込んで前後左右の位置規制をすることで、第１の収容箱１Ａの周壁部２１Ａ，２２Ａ，２３Ａ，２４Ａの内面と第２の収容箱１Ｂの周壁部２１Ｂ，２２Ｂ，２３Ｂ，２４Ｂの外面とが離間した状態で積層することが可能となり、収容箱としての製品寿命を延ばすとともに、互いの意匠面が傷つくることを防止又は抑制することができる。特には、印刷やシール状などのシート部材で形成された第２の収容箱１Ｂの宣伝広告表示部９Ｂがキズ、汚れ、破れなどの発生を防止又は抑制することができる。
【００３２】
また、第１及び第２延設リブ４１Ｂ，４２Ｂによって第２の収容箱１Ｂが支持されるので、例えば、遊技球で満杯になった第２の収容箱１Ｂにおいても把持部３０Ｂなどに負荷をかけず安定して積み重ねることができる。なお、延設リブの延長部をスリット部の深さに対して短く形成して、延設リブの基端部の先端（段差）がスリット部の開口で支持される構成としてもよい。そして、同様にして、第２の収容箱１Ｂ上に収容箱を順々に積み重ねていくことができる。
【００３３】
一方、第１の収容箱１Ａに対して第２の収容箱１Ｂを反転した向きで積み重ねた場合には、図８及び図９に示すように、２個の収容箱１Ａ，１Ｂを相対的に高く積み重ねることができる。すなわち、第２の収容箱１Ｂの収容部２Ｂ（底壁部２５Ｂ）が第１の収容箱１Ａの収容部２Ａ上に浮き上がっているかのように載っかって積み重ねられる載せ置き式積層状態となる。これによれば、遊技球で満杯になった第２の収容箱１Ｂを、空の第１の収容箱１Ａを台座として利用して遊技者は足元の床に高い位置で置くことができ、遊技者が順調に出玉している気分を十分に味わえるとともに、店舗側にとっては、他の遊技者に対して効果的に強い印象を与えることができるものである。なお、図８（ａ）に示すように、第２の収容箱１Ｂの宣伝広告表示部９Ｂは、第１の収容箱１Ａの長辺周壁部２３Ａ，２４Ａによって遮蔽されることなく、視認することが可能となり、例えば、パチンコ遊技場内で遊技機島の脇に保管するときなどにおいても、適宜、載せ置き式積層状態で保管することにより、遊技者に対して効果的に宣伝広告することが可能となる。
【００３４】
具体的には、図８及び図９（ｂ），（ｃ）に示すように、載せ置き式積層状態では、第２の収容箱１Ｂのスカート壁６Ｂを第１の収容箱１Ａの収容部２Ａの開口に嵌め込むとともに、第２の収容箱１Ｂの第１延設リブ４１Ｂ（延長部４１ｂＢ）の先端が第１の収容箱１Ａの第１把持部３１Ａの上面３１ａＡに、並びに第２の収容箱１Ｂの第２延設リブ４２Ｂ（延長部４２ｂＢ）の先端が第１の収容箱１Ａの第２把持部３２Ａの上面３２ａＢにそれぞれ当接している。これにより、第１の収容箱１Ａの第１及び第２把持部３１Ａ，３２Ａの上面３１ａＡ，３２ａＡが第２の収容箱１Ｂの第１及び第２延設リブ４１Ｂ，４２Ｂのストッパとなり、２個の収容箱１Ａ，１Ｂを簡単に載せ置き式積層状態で嵩上げして積み重ねることができる。
【００３５】
また、本実施形態の収容箱１Ａ，１Ｂは、載せ置き式積層状態において、第２の収容箱１Ｂのスカート壁６Ｂが第１の収容箱１Ａの収容部２Ａに開口から入り込んで前後左右の位置規制をすることで、そのスカート壁６Ｂがガイドとなり、最適位置からズレて配置することなく簡単に安定した状態で積み重ねることができる。また、第１及び第２延設リブの先端が基準となり、宣伝広告表示部９を確実に視認できる位置に設けることができる。
【００３６】
次に、変形例に係る遊技媒体収容箱について説明する。図１０は変形例１に係る遊技媒体収容箱の一例を示す正面図及び積み重ねた状態を示す断面図、図１１は変形例２に係る遊技媒体収容箱の一例を示す斜視図及び積み重ねた状態を示す断面図である。以下の説明では、上述した実施形態と異なる部分について主に述べ、重複する部分については同番号の符号を付して説明を省略又は簡略化する。
【００３７】
図１０（ａ）に示すように、変形例１に係る収容箱１は、収容部２の短辺周壁部２１，２２に沿って形成された第１及び第２延設リブ４１，４２（延長部４１ｂ，４２ｂ）の先端頂部に、第１及び第２把持部３１，３２が延出された収容部２の上縁に対応して切り欠かれた段差部４８，４９が形成されている。これによれば、図１０（ｂ）に示すように、載せ置き式積層状態の場合に、上側の第２の収容箱１Ｂの段差部４８Ｂ，４９Ｂが下側の第１の収容箱１Ａの収容部２Ａの上縁に掛止されるので、左右方向（長辺方向）の位置規制となり一層安定した状態で２個の収容箱を積み重ねることができる。
【００３８】
次に、図１１（ａ）に示すように、変形例２に係る収容箱１は、一対の把持部３０において相手側のスリット部５１，５２に対応して、反転した際の同じ位置に、第１把持部３１と短辺周壁部２１との境界で凹む第１凹部５８が形成され、第２把持部３２と短辺周壁部２２との境界で凹む第２凹部５９が形成されている。これによれば、図１１（ｂ）に示すように、載せ置き式積層状態の場合に、上側の第２の収容箱１Ｂの第１延設リブ（延長部）の先端が下側の第１の収容箱１Ａの第２凹部に、並びに第２の収容箱１Ｂの第２延設リブ（延長部）の先端が第１の収容箱１Ａの第１凹部に嵌り込むため、前後左右の位置規制となり、一層安定した状態で２個の収容箱を積み重ねることができる。
【００３９】
本発明は上記実施形態に限定されるものではなく、特許請求の範囲の趣旨を逸脱しない限りにおいて、目的、用途に応じて当業者の知識に基づく種々の変更が可能である。なお、把持部の上面として、変形例２に係る凹部が形成されているものを含む。
【図面の簡単な説明】
【００４０】
【図１】本発明の実施形態に係る遊技媒体収容箱の一例を示す斜視図。
【図２】図１の遊技媒体収容箱の平面図及び正面図。
【図３】図２（ａ）のＡ−Ａ断面図及びＢ−Ｂ断面図。
【図４】図２（ａ）のＣ−Ｃ断面拡大図及びＤ−Ｄ断面拡大図。
【図５】図２（ａ）のＥ−Ｅ断面拡大図及びＦ−Ｆ断面拡大図。
【図６】図１の遊技媒体収容箱を積み重ねた状態を示す正面図及び図２（ａ）のＡ−Ａ及びＢ−Ｂに対応する断面図。
【図７】図６の積み重ねた状態における図２（ａ）のＣ−Ｃ，Ｅ−Ｅ及びＦ−Ｆに対応する断面図。
【図８】図１の遊技媒体収容箱を反転して積み重ねた状態を示す正面図及び図２（ａ）のＡ−Ａ及びＢ−Ｂに対応する断面図。
【図９】図８の積み重ねた状態における図２（ａ）のＣ−Ｃ，Ｅ−Ｅ及びＦ−Ｆに対応する断面図。
【図１０】変形例１に係る遊技媒体収容箱の一例を示す正面図及び積み重ねた状態を示す断面図。
【図１１】変形例２に係る遊技媒体収容箱の一例を示す斜視図及び積み重ねた状態を示す断面図。
【符号の説明】
【００４１】
１，１Ａ，１Ｂ  遊技媒体収容箱（収容箱）
２  収容部
６  スカート壁
７  脚部
９  宣伝広告表示部
２０  周壁部
２１，２２  短辺周壁部（周壁部）
２３，２４  長辺周壁部（周壁部）
２５  底壁部
３０  把持部
３１  第１把持部
３２  第２把持部
４１  第１延設リブ（延設リブ）
４１ａ  基端部
４１ｂ  延長部
４２  第２延設リブ（延設リブ）
４２ａ  基端部
４２ｂ  延長部
４８  第１段差部
４９  第２段差部
５１  第１スリット部（スリット部）
５２  第２スリット部（スリット部）
５８  第１凹部
５９  第２凹部
【図１】
2010088735.tif 000003
【図２】
2010088735.tif 000004
【図３】
2010088735.tif 000005
【図４】
2010088735.tif 000006
【図５】
2010088735.tif 000007
【図６】
2010088735.tif 000008
【図７】
2010088735.tif 000009
【図８】
2010088735.tif 000010
【図９】
2010088735.tif 000011
【図１０】
2010088735.tif 000012
【図１１】
2010088735.tif 000013
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
上面に開口を有しその開口から遊技媒体を貯留するために一体形成された周壁部と底壁部とを有する収容部と、その収容部の対向する周壁部の上縁から外側に延出された一対の把持部とを備える遊技媒体収容箱であって、
前記把持部から前記周壁部に沿って垂れ下がる形で、該把持部の下面と周壁部の外面との間に架設された延設リブが、前記一対の把持部において相手側の延設リブと相互に位置ずれしてそれぞれ複数設けられ、
それら延設リブに対応して、前記把持部の上面から周壁部の内面にかけて開口するように、前記延設リブの内部へ窪む溝状のスリット部が形成されており、
前記延設リブとスリット部との大きさを比較したとき、該延設リブの先端の外周形状がスリット部の開口の内周形状に含まれ、
前記底壁部は、周縁に前記周壁部が下側に延出される形でスカート壁が形成されて上げ底形態をなし、
前記延設リブは、前記底壁部近傍まで延設されており、
前記収容部の開口が上方を向くように、載置した第１の前記遊技媒体収容箱の上に第２の前記遊技媒体収容箱を積み重ねるとき、
前記第１の遊技媒体収容箱に対して前記第２の遊技媒体収容箱を同じ向きで積み重ねた場合には、前記第２の遊技媒体収容箱の延設リブが第１の遊技媒体収容箱のスリット部にそれぞれ嵌まり込んで、２個の遊技媒体収容箱が相対的に低く積み重ねられる一方、
前記第１の遊技媒体収容箱に対して前記第２の遊技媒体収容箱を反転した向きで積み重ねた場合には、前記第２の遊技媒体収容箱の延設リブの先端が第１の遊技媒体収容箱の把持部の上面に当接し、かつ、前記第２の遊技媒体収容箱のスカート壁が第１の遊技媒体収容箱の収容部に嵌り込んだ状態で２個の遊技媒体収容箱が相対的に高く積み重ね可能なことを特徴とする遊技媒体収容箱。
【請求項２】
前記延設リブは、内部に前記スリット部を含む基端部と、その基端部の先端から延長される延長部とを有して、前記周壁部に平行な断面形状が連続的又は断続的に先細る形状をなし、
前記延設リブと前記スリット部の大きさを比較したとき、前記延長部の全体又は一部が該スリット部に含まれる請求項１に記載の遊技媒体収容箱。
【請求項３】
前記延設リブの先端頂部には、前記把持部が延出された収容部の上縁に対応して切り欠かれた段差部が形成されている請求項１又は２に記載の遊技媒体収容箱。
【請求項４】
前記周壁部の外面には、遊技機や店舗などの所定の情報を表示して遊技者に対して宣伝広告する宣伝広告表示部が設けられている請求項１ないし３のいずれか１項に記載の遊技媒体収容箱。
【手続補正２】
【補正対象書類名】明細書
【補正対象項目名】０００８
【補正方法】変更
【補正の内容】
【０００８】
上記課題を解決するために、本発明の遊技媒体収容箱は、
上面に開口を有しその開口から遊技媒体を貯留するために一体形成された周壁部と底壁部とを有する収容部と、その収容部の対向する周壁部の上縁から外側に延出された一対の把持部とを備える遊技媒体収容箱であって、
把持部から周壁部に沿って垂れ下がる形で、該把持部の下面と周壁部の外面との間に架設された延設リブが、一対の把持部において相手側の延設リブと相互に位置ずれしてそれぞれ複数設けられ、
それら延設リブに対応して、把持部の上面から周壁部の内面にかけて開口するように、延設リブの内部へ窪む溝状のスリット部が形成されており、
延設リブとスリット部との大きさを比較したとき、該延設リブの先端の外周形状がスリット部の開口の内周形状に含まれ、
底壁部は、周縁に周壁部が下側に延出される形でスカート壁が形成されて上げ底形態をなし、
延設リブは、底壁部近傍まで延設されており、
収容部の開口が上方を向くように、載置した第１の遊技媒体収容箱の上に第２の遊技媒体収容箱を積み重ねるとき、
第１の遊技媒体収容箱に対して第２の遊技媒体収容箱を同じ向きで積み重ねた場合には、第２の遊技媒体収容箱の延設リブが第１の遊技媒体収容箱のスリット部にそれぞれ嵌まり込んで、２個の遊技媒体収容箱が相対的に低く積み重ねられる一方、
第１の遊技媒体収容箱に対して第２の遊技媒体収容箱を反転した向きで積み重ねた場合には、第２の遊技媒体収容箱の延設リブの先端が第１の遊技媒体収容箱の把持部の上面に当接し、かつ、第２の遊技媒体収容箱のスカート壁が第１の遊技媒体収容箱の収容部に嵌り込んだ状態で２個の遊技媒体収容箱が相対的に高く積み重ね可能なことを特徴とする。